(57)【要約】      （修正有）【課題】シーン誤判別の低減、もしくはシーン誤判別時のリスクを低減し、適切な画像処理結果を得ることができる撮像装置を提供する。【解決手段】第１撮像手段と異なる方向に向けることができる第２撮像手段と、第１撮像手段で得られた画像内の情報を取得する第１情報取得手段と、第２撮像手段で得られた画像内の情報を取得する第２情報取得手段と、第１情報取得手段で得られた情報を基に、第１撮像手段よって得られた画像内のシーンを判別する手段と、シーン判別結果に応じて、該当シーンに適したカメラ設定や画像処理を行なうカメラ設定手段と、シーン判別結果を基に、第２撮像手段から得られる画像の状態を予測する手段と、第２情報取得手段で得られた情報と、状態予測手段で得られた結果に基づいて、シーン判別手段で得られた結果の信頼度を算出する手段と、信頼度算出手段で得られた結果を基に、カメラ設定手段で行なう処理を変更する。【選択図】図４
2016122942.tif 000002
【特許請求の範囲】
【請求項１】
画像を取得する撮像装置であって、
第１の撮像手段と、
前記第１の撮像手段と異なる方向に向けることができる第２の撮像手段と、
前記第１の撮像手段によって得られた画像内の情報を取得する第１の情報取得手段と、
前記第２の撮像手段によって得られた画像内の情報を取得する第２の情報取得手段と、
前記第１の情報取得手段で得られた情報を基に、第１の撮像手段よって得られた画像内のシーンを判別するシーン判別手段と、
前記シーン判別手段の判別結果に応じて、該当シーンに適したカメラ設定や画像処理を行なうカメラ設定手段と、
前記シーン判別手段の判別結果を基に、第２の撮像手段から得られる画像の状態を予測する状態予測手段と、
前記第２の情報取得手段で得られた情報と、前記状態予測手段で得られた結果に基づいて、前記シーン判別手段で得られた結果の信頼度を算出する信頼度算出手段と、
前記信頼度算出手段で得られた結果を基に、前記カメラ設定手段で行なう処理を変更するカメラ設定変更手段と、
を備えることを特徴とする撮像装置。
【請求項２】
前記撮像装置は、撮像した画像から人物の顔を検出する顔検出手段を備え、
前記第２の情報取得手段で得られる情報とは、撮影者の顔の輝度情報と色情報の少なくとも一つを含むことを特徴とする請求項１に記載の撮像装置。
【請求項３】
前記第１の撮像手段によって取得された画像内の情報とは、輝度情報と色情報であることを特徴とする請求項１又は請求項２に記載の撮像装置。
【請求項４】
前記第２の撮像手段において、顔が検出できなかった場合、あるいは顔が検出できても信頼のおける情報が得られない場合、前記カメラ設定変更手段を使用しないことを特徴とする請求項２に記載の撮像装置。
【請求項５】
前記シーン判別手段において、前記第２の情報取得手段で得られた情報を使用しなくてもよいことを特徴とする請求項１乃至４の何れか一項に記載の撮像装置。
【請求項６】
前記信頼度算出手段は、前記シーン判別手段において「夕景」と判断された場合、第２の撮像手段から得られる画像中の輝度値が閾値より大きくなるほど、かつ色温度が閾値より高色温度になるほど、信頼度が低くなることを特徴とする請求項１乃至請求項５の何れか一項に記載の撮像装置。
【請求項７】
前記信頼度算出手段は、前記シーン判別手段において「逆光」と判断された場合、第２の撮像手段から得られる画像中の輝度値が閾値より小さくなるほど、信頼度が低くなることを特徴とする請求項１乃至請求項５の何れか一項に記載の撮像装置。
【請求項８】
前記信頼度算出手段は、前記シーン判別手段において「夜景」と判断された場合、第２の撮像手段から得られる画像中の輝度値が閾値より大きくなるほど、信頼度が低くなることを特徴とする請求項１乃至請求項５の何れか一項に記載の撮像装置。
【請求項９】
前記信頼度算出手段は、前記シーン判別手段において「水銀灯」と判断された場合、第２の撮像手段から得られる画像中の輝度値が閾値より大きくなるほど、かつ色情報の緑成分の割合が閾値よりも小さくなるほど、信頼度が低くなることを特徴とする請求項１乃至請求項５の何れか一項に記載の撮像装置。
【請求項１０】
前記信頼度算出手段は、前記第２の撮像手段によって得られた画像で検出された顔の情報のみを基に算出することを特徴とする請求項１乃至請求項９の何れか一項に記載の撮像装置。
【請求項１１】
前記状態予測手段は、カメラの姿勢乃至第２の撮像手段の向きに応じて予測する状態が変わることを特徴とする請求項１乃至請求項１０の何れか一項に記載の撮像装置。
【請求項１２】
前記第２の撮像手段において、撮影者の顔が検出できなかった場合、前記カメラ設定変更手段を使用しないことを特徴とする請求項１乃至請求項１１の何れか一項に記載の撮像装置。
【発明の詳細な説明】
【技術分野】
【０００１】
本発明は、画像からシーンを判別する撮像装置及びそのシーン判別方法に関する。
【背景技術】
【０００２】
近年、手動でカメラの撮影設定を行わなくても、自動で撮影シーンを判別することが可能なシーン判別機能を有する撮像装置が普及してきている。シーン判別機能とは、画面内の輝度情報や色情報によって、撮影するシーンが「夕景」、「逆光」、「夜景」、「水銀灯」など複数のシーンのうち、どのシーンであるかを判別するものである。
【０００３】
従来、この判別方法として、特定のシーンに対応する輝度情報や色情報の画像内における配置の傾向を考慮し、かつそれらの位置や面積割合の変動も考慮してシーン判別を行う方法が知られている（特許文献１参照）。
【０００４】
例えば、「夕景」と判別されると、撮影対象は、赤味が強く、かつ、遠くに存在することから、カメラは、フラッシュをたかずに撮影し、かつ、赤味が強調されるように画像処理を施すように設定される。「逆光」と判別されると、カメラは、中央の暗部領域の重み付けを大きくして露出制御値を設定し、フラッシュをたいて撮影を行うように設定される。「夜景」と判別されると、撮影対象は、輝度が小さく、かつ、遠くに存在する静止物であると推定されることから、カメラは、フラッシュをたかずに、長秒露光で撮影し、かつ、ノイズを目立たなくするために撮影感度が低くなるように、設定される。つまり、「夜景」と判別されると、「夜景」と判別されなかった場合に比較して、仮に被写体の輝度が等しくとも、露光時間が長く、かつ、撮影感度が低く設定される。「水銀灯」と判別されると、撮影対象は、輝度が小さく、かつ、緑味が強いことから、緑味を強く補正しやすいWB制御を施すように設定される。
【０００５】
このシーンの判別結果に沿ったカメラの設定は、静止画を記録メディアに記録する本撮影に限られるものではなく、その前の段階であるライブビューモードの段階でも適用される。ライブビューモードとは、被写体をリアルタイムで撮像した動画像をモニタに表示するモードである。ライブビューモードでは、シーン判別を定期的に繰り返し行い、シーン判別の結果が変更される度、カメラの設定をその判別結果に沿ったものに変更することが行われる。
【０００６】
また、２つの撮像素子を備えた撮像装置が知られている。第１の撮像手段と第２の撮像手段は、互いに異なる方向に向けることができるように配置されており、第１の撮像手段で被写体を撮影し、第２の撮像手段で撮影者自身を撮影することができる（特許文献２参照）。
【先行技術文献】
【特許文献】
【０００７】
【特許文献１】特開２００５−３１０１２３号公報
【特許文献２】特開２００５−７３１６１号公報
【発明の概要】
【発明が解決しようとする課題】
【０００８】
しかしながら、従来のシーン判別機能を有した撮像装置では、次のような問題があった。例えば、輝度情報や色情報だけでシーン判別を行なうと、シーンを誤判別してしまい、被写体やカメラの状況によっては好ましくない画像が撮影されてしまうことがあった。つまり、「夕景」シーンではないのに「夕景」と誤判別してしまい、赤味の強調が行なわれてしまうことがあった。
本発明は、上記課題に鑑みてなされ、その目的は、２つの撮像手段を備える撮像装置において、シーン誤判別の低減、もしくはシーン誤判別時のリスクを低減することにある。
【課題を解決するための手段】
【０００９】
上記の目的を達成するために、本発明の撮像装置は、第１の撮像手段と、前記第１の撮像手段と異なる方向に向けることができる第２の撮像手段と、前記第１の撮像手段によって得られた画像内の情報を取得する第１の情報取得手段と、前記第２の撮像手段によって得られた画像内の情報を取得する第２の情報取得手段と、前記第１の情報取得手段で得られた情報を基に、第１の撮像手段よって得られた画像内のシーンを判別するシーン判別手段と、前記シーン判別手段の判別結果に応じて、該当シーンに適したカメラ設定や画像処理を行なうカメラ設定手段と、前記シーン判別手段の判別結果を基に、第２の撮像手段から得られる画像の状態を予測する状態予測手段と、前記第２の情報取得手段で得られた情報と、前記状態予測手段で得られた結果に基づいて、前記シーン判別手段で得られた結果の信頼度を算出する信頼度算出手段と、前記信頼度算出手段で得られた結果を基に、前記カメラ設定手段で行なう処理を変更するカメラ設定変更手段と、を備えることを特徴とする。
【発明の効果】
【００１０】
本発明によれば、シーン誤判別の低減、もしくはシーン誤判別時のリスクを低減し、適切な画像処理結果を得ることができる撮像装置の提供を実現できる。
【図面の簡単な説明】
【００１１】
【図１】本実施形態に係る撮像装置の構成を示すブロック図である。
【図２】本実施形態の撮像装置での撮像時の様子を示す図である。
【図３】本実施形態の撮像装置による画像撮影動作を示すフローチャートである。
【図４】本実施形態の撮像装置による画像撮影動作を示すフローチャートである。
【発明を実施するための形態】
【００１２】
以下に、本発明を実施するための形態について詳細に説明する。尚、以下に説明する実施の形態は、本発明を実現するための一例であり、本発明が適用される装置の構成や各種条件によって適宜修正又は変更されるべきものであり、本発明は以下の実施の形態に限定されるものではない。また、後述する各実施形態の一部を適宜組み合わせて構成しても良い。
【００１３】
＜装置構成＞
まず、図１を参照して、本実施形態の撮像装置の主要な構成について説明する。図１において、１００は画像処理装置である。操作部１０１は、本デジタルカメラの操作者が本デジタルカメラに対して各種の指示を入力するために操作するスイッチやボタンなどを含んで構成される。操作部１０１に含まれるものの一つとして、シャッタースイッチがある。このシャッタースイッチが半押しの場合には信号ＳＷ１が操作部１０１から制御部１０２に対して通知される。また、シャッタースイッチが全押しされている場合には信号ＳＷ２が操作部１０１から制御部１０２に対して通知される。
【００１４】
制御部１０２は、同図に示す各部の動作を制御するものであり、操作部１０１などからの指示に応じて各部を制御する。制御部１０２が上述のように操作部１０１から信号ＳＷ１や信号ＳＷ２の通知を受けた場合には、これらに応じた処理を実行するよう各部を制御する。第１の撮像手段１０３Ａと第２の撮像手段１０３Ｂの２つの撮像手段を備えており、この２つの撮像手段からは実質的に同じタイミングで画像を取得することができ、本実施形において重要な構成となっている。
【００１５】
図２に、画像処理装置１００で実際に撮像するときの様子を示す。便宜上、撮影者２００が本デジタルカメラを被写体に向けて撮影するとき、被写体側のカメラ２０１（アウトカメラ）を撮像手段１０３Ａ、撮影者側のカメラ２０２（インカメラ）を撮像手段１０３Ｂとする。
【００１６】
撮像素子１０４は、レンズ１０５、露出機構１０６を介して入射される光を受け、その光量に応じた電荷を蓄積し出力するものである。Ａ／Ｄ変換部１０７は、撮像素子１０４から出力されたアナログ画像信号に対して、サンプリング、ゲイン調整、Ａ／Ｄ変換等を行い、デジタル画像信号として出力する。画像処理部１０８は、Ａ／Ｄ変換部１０７から出力されたデジタル画像信号に対して各種の画像処理を行い、処理済みのデジタル画像信号を出力する。画像処理部１０８は、例えば、Ａ／Ｄ変換部１０７から受けたデジタル画像信号を、ＹＵＶ画像信号に変換して出力する。
【００１７】
さらに、画像処理部１０８は、デジタル画像信号から人物の顔を検出することができる。顔検出については既知の方法でよい。例えば、入力された画像データから、鼻、口や目などの顔領域の構成要素に相当する形状を抽出し、両目の中間を通過する延長線上に鼻と口が存在する領域を検出する。そして、両目の大きさとそれらの距離から顔の大きさを推定し、鼻の中心に相当する位置を基準として、推定した大きさの領域で囲んだ領域を顔領域とする。
【００１８】
シーン判別部１０９は、画像処理部１０８からアウトカメラのデジタル画像信号を取得し、このデジタル画像信号をもとに、撮影するシーンが「夕景」、「逆光」などの複数の特定のシーンのうちどのシーンなのかを判別する。例えば、画像処理部１０８から受けたアウトカメラのＹＵＶ画像信号をもとにシーンを判別する。状態予測部１１０は、シーン判別部１０９から得られた結果をもとに、インカメラから得られた画像信号を予測する。画像処理部１０８はさらに、状態予測部１１０で予測した結果と実際のインカメラ画像に基づいて、シーン判別部１０９から得られた結果のシーン判別信頼度を算出する。
【００１９】
シーン判別部１０９において特定のシーンが判別されたならば、画像処理部１０８は、判別されたシーンを撮影するのに最適となるようなカメラ設定や画像処理を行う。このとき、シーン判別信頼度を用いてもよい。ストロボユニット１１１は、制御部１０２においてフラッシュが必要と判断された場合に、その指示を受け、ストロボを発光させる。ストロボユニットは一つでもよいし、閃光発光用にＸｅ管、微小長秒発光用にＬＥＤ等のように複数個用意してもよい。さらに、アウトカメラ用、インカメラ用のように複数用意してもよい。
【００２０】
ＥＶＦ表示部１１３は、小型液晶画面などにより構成されており、画像処理部１０８による処理済みの画像データに従った画像を表示する。フォーマット変換部１１４は、画像処理部１０８から出力されたデジタル画像信号（画像データ）のフォーマットをＪＰＥＧなどのフォーマットに変換し、画像記録部１１５に出力する。画像記録部１１５は、フォーマット変換部１１４から受けたフォーマット変換済みの画像データを、本デジタルカメラ内の不図示のメモリや、本デジタルカメラに挿入されている外部メモリなどに記録する処理を行う。外部接続部１１６は、本デジタルカメラをＰＣ（パーソナルコンピュータ）やプリンタといった外部装置に接続するためのインターフェースとして機能する。ＡＦ処理部１１７は、被写体にピントを合わせるべくレンズ１０５を動作させ、ＡＥ処理部１１８は、画面が最適な露出になるように露出機構１０６を制御するものである。
【００２１】
＜動作説明＞
本デジタルカメラは、上述のようにして構成されるが、ここで本デジタルカメラを用いて撮像を行う場合の、本デジタルカメラの動作について図３を参照して説明する。
【００２２】
先ず、本デジタルカメラの操作者が、操作部１０１に含まれている電源スイッチをオンにすると、制御部１０２はこれを検知し、本デジタルカメラを構成する各部に電源を供給する。本デジタルカメラを構成する各部に電源が供給されると不図示のシャッターが開き、撮像手段１０３Ａ（アウトカメラ）と撮像手段１０３Ｂ（インカメラ）それぞれの撮像素子１０４に、レンズ１０５、露出機構１０６を介して光が入光することになる。撮像素子１０４は、光の入光により溜まった電荷を読み出し、Ａ／Ｄ変換部１０７にアナログ画像信号として出力する。
【００２３】
Ａ／Ｄ変換部１０７は、撮像素子１０４から出力されたアナログ画像信号に対して、サンプリング、ゲイン調整、Ａ／Ｄ変換などを行い、デジタル画像信号として出力する。このデジタル画像信号は画像処理部１０８に出力され、画像処理部１０８は、Ａ／Ｄ変換部１０７から出力されたデジタル画像信号に対して各種画像処理を行い、処理済みのデジタル画像信号を出力する（Ｓ３０１）。
【００２４】
シーン判別部１０９は、画像処理部１０８から出力されたデジタル画像信号をもとに、撮影するシーンが「夕景」、「逆光」、「夜景」、「水銀灯」などの複数の特定のシーンのうちどのシーンなのかを判別する。なお、シーン判別部１０９は、画像処理部１０８から出力されたデジタル画像信号から輝度情報および色情報（彩度情報、色相情報を含む）を取得し、これを用いてシーンの判別を行っている（Ｓ３０２）。シーン判別部１０９でシーン判別ができたかどうかを判定し（Ｓ３０３）、シーン判別ができなかった場合、画像処理部１０８は、撮影時の撮影モードに応じた通常のカメラ設定や画像処理を行なう（Ｓ３０４）。
【００２５】
特定のシーンが判別できた場合、シーン判別にインカメラ画像を使用するかどうかを判定する（Ｓ３０５）。インカメラ画像を使用するかどうかは、判別したシーンに応じて決まるようにしてもよいし、ユーザが操作部１０１で指定してもよい。インカメラ画像を使用しない場合、画像処理部１０８は、そのシーンを撮影するのに最適となるようなカメラ設定や画像処理を行う（Ｓ３０６）。インカメラ画像を使用する場合、状態予測部１１０は、シーン判別部１０９から得られた結果をもとに、インカメラから得られた画像信号を予測する（Ｓ３０７）。
【００２６】
例えば、シーン判別部１０９で「夕景」と判別された場合、インカメラ画像はある程度暗く夕焼け色に染まっている可能性が高いと予測する。つまり、インカメラ画像の輝度値が閾値よりも大きくなるほど、かつ色温度が閾値より高色温度側になるほどシーンを誤判別している可能性が高いと予測する。「逆光」と判別された場合、インカメラ画像には光が当たっている可能性が高いので、インカメラ画像の輝度値が閾値よりも小さくなるほどシーンを誤判別している可能性が高いと予測する。「夜景」と判別された場合、「逆光」とは逆で、インカメラ画像の輝度値が閾値よりも大きいほどシーンを誤判別している可能性が高いと予測する。
【００２７】
「水銀灯」と判別された場合、インカメラ画像は輝度が小さく、かつ水銀灯が照射されている可能性が高いため、インカメラ画像の輝度値が閾値より大きいほど、かつ色情報の緑成分の割合が閾値よりも多いほどシーンを誤判別している可能性が高いと予測する。画像処理部１０８は、このように状態予測部１１０で予測した結果と実際のインカメラ画像に基づいて、シーン判別部１０９から得られた結果のシーン判別信頼度を算出する（Ｓ３０８）。シーン信頼度の算出の例として、例えば、予測結果とインカメラ画像の輝度情報や色情報を比較して、差分が小さいほど信頼度を高くする。
【００２８】
シーン判別部１０９において特定のシーンが判別されたならば、画像処理部１０８は、そのシーンを撮影するのに最適となるようなカメラ設定や画像処理を行う。その際にシーン信頼度を使用する（Ｓ３０９）。例えば、状態予測部１１０で「夕景」と判別された場合、赤味が強調されるように画像処理を施すが、シーン信頼度が低いほど、赤味の強調を弱めていく設定をする。同様に、他のシーンであっても従来よりも強調されるなど通常とは異なるカメラ設定や画像処理を信頼度に応じて変化させる。もしくは、信頼度があらかじめ設定した閾値に達した場合にのみ、そのシーンを撮影するのに最適となるようなカメラ設定や画像処理を行ない、閾値に満たない場合は、シーン判別ができなかったことにして、通常のカメラ設定や画像処理を行なってもよい。
【００２９】
また、画像処理部１０８は、処理済みの画像データをＥＶＦ表示部１１３に出力するので、ＥＶＦ表示部１１３は、この処理済みの画像データに従った画像を表示する。また、画像処理部１０８によって取得された画像データをもとに、ＡＦ処理部１１７は、被写体にピントを合わせるべくレンズ１０５を動作させ、また、ＡＥ処理部１１８は、画面が最適な露出になるように露出機構１０６を制御する。
【００３０】
ここまでの処理が完了すると、制御部１０２は、操作部１０１に含まれるシャッタースイッチから信号ＳＷ１の通知（即ち、シャッタースイッチの半押しの通知）を受けていない限りは、上記処理を繰り返す。一方、制御部１０２が信号ＳＷ１の通知をシャッタースイッチから受けると、この時点における画像データを用いＡＦ、ＡＥ処理を行い、撮影に最適なピントおよび露出設定条件を取得する。そして、制御部１０２は、シャッタースイッチから信号ＳＷ２の通知（即ち、シャッタースイッチの全押しの通知）を受けていない限りは、処理を信号ＳＷ１前に戻し、上記処理を繰り返す。
【００３１】
一方、制御部１０２が信号ＳＷ２の通知をシャッタースイッチから受けると、撮影処理に移行し、まずストロボを発光するか否かの判断を行う。ストロボを発光するか否かは、操作部１０１を用いて予め設定しておき、その設定データを読み取ることで判断するようにしても良いし、また周囲の暗さを検知し自動的に判断するようにしても良い。
【００３２】
ストロボを発光するか否かの判断の結果、ストロボの発光を行う場合には、制御部１０２はストロボユニット１１０にプリ発光を行わせ、発光量の算出、ＥＦ枠の重み付けなどの処理を行う。そして、プリ発光により計算された発光量でストロボユニット１１０を発光させ、画像撮影が行われる。ストロボ非発光の場合には上記調光制御無しに以下の処理に移行する。
【００３３】
本撮影にて、外界からの光がレンズ１０５、露出機構１０６を介して撮像素子１０４に入光するので、撮像素子１０４を構成する光電変換素子には、入光した光の光量に応じた電荷が溜まる。撮像素子１０４は、溜まった電荷を読み出し、Ａ／Ｄ変換部１０７にアナログ画像信号として出力する。
【００３４】
Ａ／Ｄ変換部１０７は、撮像素子１０４から出力されたアナログ画像信号に対して、サンプリング、ゲイン調整、Ａ／Ｄ変換等を行い、デジタル画像信号として出力する。そして、画像処理部１０８は、Ａ／Ｄ変換部１０７から出力されたデジタル画像信号に対して各種の画像処理を行い、処理済みのデジタル画像信号を出力する。フォーマット変換部１１４は、デジタル画像信号を出力され、画像処理部１０８から出力されたデジタル画像信号（画像データ）のフォーマットをＪＰＥＧなどのフォーマットに変換し、画像記録部１１５に出力する。画像記録部１１５は、フォーマット変換された画像データを所定のメモリに記録する処理を行う。
【００３５】
以上説明したように、本実施形態によれば、シーン誤判別、もしくはシーン誤判別時のリスクを低減し、適切な画像処理結果を得ることができる。
【００３６】
＜変形例＞
上述した実施形態の変形例について、図４を参照して説明する。Ｓ３０１からＳ３０９はそれぞれＳ４０１からＳ４０９と概要は同じなので説明は省略し、異なるところのみを説明する。上述した実施形態では、Ｓ３０５でシーン判別にインカメラ画像を使用するかどうかを判定し、インカメラ画像を使用する場合、Ｓ３０７に進んだ。しかし、変形例では、Ｓ４０５でインカメラ画像を使用する場合、インカメラ画像で顔を検出できたかどうかを判定する（Ｓ４１０）。インカメラ画像から顔を検出できなかった場合、インカメラ画像を使用しないときと同様に、判別されたシーンを撮影するのに最適となるようなカメラ設定や画像処理を行なう（Ｓ４０６）。
【００３７】
加えて、このとき検出された顔らしさ、つまり顔の信頼度を算出し、この顔信頼度が閾値を超えなかった場合、さらに画角中の位置や大きさ、視線などから撮影者かどうかを判定し、撮影者の顔ではない場合は顔を検出できなかったときと同じ扱いとしてもよい。撮影者の顔は画角の中央から外れ過ぎていないこと、画角に対して小さすぎないこと、視線がカメラを向いていることなどから判断する。
【００３８】
また、状態予測部１１０は、シーン判別部１０９から得られた結果をもとに、インカメラから得られた画像信号を予測するが、このときインカメラ画像中の顔の輝度情報や色情報を予測する。このとき、撮影者以外の背景などの情報は使用しなくてもよい。  さらに、状態予測部１１０は、カメラの状態を考慮してもよい。例えば、カメラの姿勢、もしくはインカメラの向きによるインカメラ画像中の顔への影響や、インカメラ側にストロボがあり点灯している場合やＥＶＦ表示部１１３の明かりによってインカメラ画像中の顔へ与える影響を考慮してもよい。
【００３９】
＜他の実施形態＞
本発明は、以下の処理を実行することによっても実現される。即ち、上記実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【符号の説明】
【００４０】
１００  画像処理装置、１０１  操作部、１０２  制御部
【図１】
2016122942.tif 000003
【図２】
2016122942.tif 000004
【図３】
2016122942.tif 000005
【図４】
2016122942.tif 000006